(57)【特許請求の範囲】
【請求項１】
送信部から送出された高周波帯の上側ノーマルＮＴＳＣ及び下側ノーマルＮＴＳＣ放送信号間のアイドル空間にインバーティング方式のデジタル放送信号を所定の発振周波数と混合し、前記上側ＮＴＳＣ放送信号を下側に、前記下側ＮＴＳＣ放送信号を上側に遷移してそれぞれインバーティング状態に変更し、前記デジタル放送信号をノーマル状態に変更して出力する第１混合部と、
高域部分の利得が低域部分の利得より大きくなるよう構成され、前記第１混合部から出力される前記インバーティング状態の上側及び下側ＮＴＳＣ放送信号を減衰させ、前記ノーマル状態のデジタル放送信号を増幅する非対称形帯域通過フィルタ部と、
前記フィルタ部から出力される減衰されたＮＴＳＣ放送信号及び前記増幅されたデジタル放送信号を所定の発振周波数と混合して所定の周波数帯にダウンさせて出力する第２混合部とを含むチューニングシステム。
【請求項２】
（ａ）高周波帯の上側ノーマルＮＴＳＣ及び下側ノーマルＮＴＳＣ放送信号間のアイドル空間にインバーティング方式のデジタル放送信号を送出する段階と、
（ｂ）前記上側ＮＴＳＣ放送信号を下側に、前記下側ＮＴＳＣ放送信号を上側に遷移してそれぞれインバーティング状態に変更し、前記デジタル放送信号をノーマル状態に変更する段階と、
（ｃ）  高域部分の利得が低域部分の利得より大きくなるよう構成された非対称形帯域通過フィルタを用いて、前記インバーティング状態の上側及び下側ＮＴＳＣ放送信号を減衰させ、前記ノーマル状態のデジタル放送信号を増幅した後で所定の周波数帯にダウンさせて出力する段階とを含むチューニング方法。
【発明の詳細な説明】
【０００１】
【発明の属する技術分野】
本発明は放送信号受信装置及び方法に係り、より詳細にはインバーティング方式に変更されたＲＦスペクトル信号をチューナの非対称型バンドパスフィルタでフィルタリングして受信感度を向上させる放送信号受信機のチューニングシステム及び方法に関する。
【０００２】
【従来の技術】
図１は従来の放送信号受信機のＲＦスペクトル図であり、図２は従来の８ＶＳＢダブルコンバージョンチューナの構成を示すブロック図である。
【０００３】
従来の放送信号ＲＦスペクトルは図１に示されたように、下側アナログＮＴＳＣスペクトルと（以下、下側ＮＴＳＣスペクトルと表記）上側アナログＮＴＳＣスペクトル（以下、上側ＮＴＳＣスペクトルと表記）間の空きチャンネルに８ＶＳＢ（Ｖｅｓｔｉｇｉａｌ Ｓｉｄｅ Ｂａｎｄ）デジタル放送スペクトル信号が構成された形である。そして、図１に示されたように下側ＮＴＳＣスペクトルのオーディオ信号と８ＶＳＢデジタル放送スペクトルのパイロット信号はわずか０．５６ＭＨｚ離れている。
【０００４】
図２に示されたように、８ＶＳＢダブルコンバージョンチューナの第１ローカルミキサ２０と第２ローカルミキサ２３間におよそ１２ＭＨｚのワイド対称型バンドパスフィルタ２２が位置し、シングルコンバージョンチューナに比べて隣接チャンネル除去比にすぐれる。
【０００５】
８ＶＳＢ受信において、パイロットトーンの正しい検出は受信機の信号回復において非常に重要であり、パイロットトーンをいかによく検出するかにより受信部の性能を決定できるほど重要である。８ＶＳＢ電送システムはＤＶＢ−ＴのＣＯＦＤＭ（Ｃｏｄｅｄ Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）のようにマルチパイロットトーンではないシングルパイロットトーンでデータを電送するので、伝送線路上のパイロットトーンの損傷は受信不可能の状況にまで発展する。
【０００６】
特に、既存のＮＴＳＣと隣接している場合、下側ＮＴＳＣスペクトルのオーディオ信号と８ＶＳＢデジタル放送スペクトルのパイロットトーンとはわずか０．５６ＭＨｚ離れていて、特に下側ＮＴＳＣ信号が非常に大きい場合に８ＶＳＢデジタル放送スペクトル上にパイロット信号の損傷をもたらすことがありうる。８ＶＳＢデジタル放送スペクトルのパイロットトーンと上側ＮＴＳＣスペクトルの輝度信号とは、１．２５ＭＨｚ離れていることにより普通上側ＮＴＳＣスペクトル信号の干渉が下側ＮＴＳＣスペクトル信号干渉に比較して３−４ｄＢよい。
【０００７】
従って、普通上側ＥＮＴＳＣ信号が存在しない場合に送信部は下側ＮＴＳＣ信号の干渉を最小化するために８ＶＳＢ信号の周波数を上側に数十ｋＨｚシフトさせる方式を多く採択し、そのような場合に受信部はＡＦＴ（Ａｕｔｏ Ｆｉｎｅ Ｔｕｎｉｎｇ）をしてシフトされた周波数を捕捉して正チューニングをできるが、どれほどシフトされたかを知らないために、普通中央周波数を基準に１．５ＭＨｚほど周波数をスイーピングするようになり、これによりＡＦＴ時間を多く必要とする。現在のデジタル技術でも初期プログラムを行う時に全チャンネルを検索するのに数分かかっている。図１に示されたように、８ＶＳＢ電送方式はＮＴＳＣ隣接チャンネル特性もよくないだけではなく、受信部ＡＦＴの遂行時間を必要以上に多くかかるようにする短所がある。
【０００８】
アナログＮＴＳＣシングルコンバージョンチューナに比べて隣接チャンネル特性を強化させる目的で、図２のようにダブルコンバージョンチューナに構成を多くするのであるが、これは第１ローカルミキサ２０と第２ローカルミキサ２３間に対称型バンドパスフィルタ２２を挿入して隣接チャンネルの成分を除去させる構成になっている。事実、ＮＴＳＣの輝度信号とオーディオ信号とは７ｄＢの大きさの差があり、上位ＮＴＳＣスペクトルの輝度信号は８ＶＳＢデジタル放送スペクトルのパイロットトーンと１．２５ＭＨｚ離れていて、ＮＴＳＣスペクトルのオーディオ信号と８ＶＳＢデジタル放送スペクトルのパイロットトーンと僅か０．５６ＭＨｚ離れており、実際に隣接チャンネル干渉においてはＮＴＳＣのオーディオ成分がかなり左右されている。たとえ受信端のチューナ外部ＩＦ端から最近このオーディオ成分を除去するための４７．２５ＭＨｚのノッチフィルタ（図示せず）を構成することはするが、チューナ部からあらかじめある程度除去してはじめてすぐれた隣接除去性能を発揮することができる。既存の対称型ワイドバンドパスフィルタでは輝度信号とオーディオ信号とを全く同じ大きさで除去することにより効率的にオーディオ信号を除去することができない問題点がある。
【０００９】
最近論議がなされている８ＶＳＢのインドア環境下での難視聴問題及び各種マルチパスに弱い短所はＣＯＦＤＭに比べて従来のチューニングシステムが一つのパイロットトーンを使用する事実により大きく左右される。伝送線路状況でこのパイロットトーンの歪曲は受信不能状況までもたらすことがあり、このパイロットトーンをいかほどよく検出するかが８ＶＳＢの性能を大きく左右することがあると言っても言い過ぎではない。従って、チューナ部バンドパスフィルタを対称型に設計する場合、伝送線路状況のパイロットトーンの損傷は後端のＶＳＢチップ（図示せず）の搬送波復旧に致命的な影響をもたらすことがある問題点がある。
【００１０】
【発明が解決しようとする課題】
本発明がなそうとする技術的な課題は従来の８ＶＳＢデジタル放送信号のノーマルスペクトル方式をインバーティング方式に変更し、受信部チューナ部に対称型バンドパスフィルタを低域の利得を大きくした非対称型バンドパスフィルタに設計し、８ＶＳＢ受信感度を向上させる放送信号受信機のチューニングシステムを提供することにある。
【００１１】
本発明がなそうとする他の技術的な課題は従来の８ＶＳＢデジタル放送信号のノーマルスペクトル方式をインバーティング方式に変更し、受信部チューナ部に対称型バンドパスフィルタを低域の利得を大きくした非対称型バンドパスフィルタに設計して８ＶＳＢ受信感度を向上させる放送信号受信機のチューニング方法を提供することにある。
【００１２】
【課題を解決するための手段】
本発明がなそうとする技術的な課題を解決するための放送信号受信機のチューニングシステムは、  送信部から送出された高周波帯の上側ノーマルＮＴＳＣ及び下側ノーマルＮＴＳＣ放送信号間のアイドル空間にインバーティング方式のデジタル放送信号を所定の発振周波数と混合し、前記上側ＮＴＳＣ放送信号を下側に、前記下側ＮＴＳＣ放送信号を上側に遷移してそれぞれインバーティング状態に変更し、前記デジタル放送信号をノーマル状態に変更して出力する第１混合部と、高域部分の利得が低域部分の利得より大きくなるよう構成され、前記第１混合部から出力される前記インバーティング状態の上側及び下側ＮＴＳＣ放送信号を減衰させ、前記ノーマル状態のデジタル放送信号を増幅する非対称形帯域通過フィルタ部と、前記フィルタ部から出力される減衰されたＮＴＳＣ放送信号及び前記増幅されたデジタル放送信号を所定の発振周波数と混合して所定の周波数帯にダウンさせて出力する第２混合部とを含むことが望ましい。
【００１３】
本発明がなそうとする他の技術的な課題を解決するための放送信号受信機のチューニング方法は、（ａ）高周波帯の上側ノーマルＮＴＳＣ及び下側ノーマルＮＴＳＣ放送信号間のアイドル空間にインバーティング方式のデジタル放送信号を送出する段階と、（ｂ）前記上側ＮＴＳＣ放送信号を下側に、前記下側ＮＴＳＣ放送信号を上側に遷移してそれぞれインバーティング状態に変更し、前記デジタル放送信号をノーマル状態に変更する段階と、（ｃ）高域部分の利得が低域部分の利得より大きくなるよう構成された非対称形帯域通過フィルタを用いて、前記インバーティング状態の上側及び下側ＮＴＳＣ放送信号を減衰させ、前記ノーマル状態のデジタル放送信号を増幅した後で所定の周波数帯にダウンさせて出力する段階とを含むことが望ましい。
【００１４】
【発明の実施の形態】
以下、添付された図面を参照して本発明を詳細に説明する。
【００１５】
図３は放送信号受信機のＲＦスペクトル図であり、図４は本発明による放送信号受信機のチューニングシステムの構成を示すブロック図である。
【００１６】
図４に示されたシステムは第１局部発振周波数を出力する第１局部発振部４０、送信部（図示せず）から送出された高周波帯の上側ノーマルＮＴＳＣ及び下側ノーマルＮＴＳＣ放送信号間のアイドル空間にあるインバーティング方式の８ＶＳＢデジタル放送信号を第１局部発振部４０から出力される発振周波数と混合する第１ローカルミキサ４１、第１ローカルミキサ４１から出力されるインバーティング状態の上側及び下側ＮＴＳＣ放送信号を減衰させ、ノーマル状態の８ＶＳＢデジタル放送信号を増幅する非対称型ＢＰＦ４２、第２局部発振周波数を出力する第２局部発振部４３、非対称型ＢＰＦ４２から出力される減衰されたＮＴＳＣ放送信号及び増幅された８ＶＳＢデジタル放送信号を第２局部発振部４３から出力される発振周波数と混合して中間周波数を出力する第２ローカルミキサ４４より構成される。
【００１７】
図５は本発明による放送信号受信機のチューニング方法を説明するための波形図である。
【００１８】
次いで、図３〜図５を参照して本発明を詳細に説明する。８ＶＳＢデジタル放送スペクトルのパイロットトーンは非常に重要な役割を果たすことにより、下側アナログＮＴＳＣスペクトルと僅かな距離に位置させることよりインバーティングさせてＮＴＳＣ干渉性能を一層強化させる。図３に示されたように、本発明によるＲＦスペクトルは下側アナログＮＴＳＣスペクトルと上側アナログＮＴＳＣスペクトル間のアイドルチャンネルにインバーティングされたデジタル８ＶＳＢデジタル放送スペクトル信号が構成された形である。図３に示されたように上側ＮＴＳＣスペクトルの輝度信号とインバーティングされた８ＶＳＢデジタル放送スペクトルのパイロット信号とは１．５６ＭＨｚ離れていて隣接ＮＴＳＣ信号のＤＴＶ干渉を最小化できるようになる。
【００１９】
本願発明のＲＦスペクトル信号（図３または図５の（ａ））が送信部（図示せず）から送出されて第１ローカルミキサ４１に入力される。この時、第１局部発振部４０の第１発振信号もまた第１ローカルミキサ４１に入力される。第１ローカルミキサ４１は送信部から受信された高周波帯の上側ノーマルＮＴＳＣ及び下側ノーマルＮＴＳＣ放送信号間のアイドル空間にインバーティング方式のデジタル放送信号を第１局部発振部４０の第１発振信号と混合し、図５の（ｂ）に示されたように上側ＮＴＳＣ放送信号を下側に前記下側ＮＴＳＣ放送信号を上側に遷移してそれぞれインバーティング状態に変更し、前記デジタル放送信号をノーマル状態に変更して出力する。
【００２０】
非対称型ＢＰＦ４２は第１ローカルミキサ４１から出力される信号を非対称帯域フィルタリングする。この時、非対称型ＢＰＦ４２は高域部分の利得が多少小さく低域部分の利得が多少大きい帯域通過フィルタである。第１ローカルミキサ４１から出力されるインバーティングされた上側及び下側ＮＴＳＣ放送信号とノーマル状態の８ＶＳＢデジタル放送信号とが非対称型ＢＰＦ４２を通過するようになれば、図５の（ｃ）に示されたように８ＶＳＢデジタル放送信号のパイロットトーンは増幅されて上側及び下側ＮＴＳＣ放送信号は減衰されるのであるが、その中でもＶＳＢデジタル放送信号のパイロットトーンと最も近い位置にある下側ＮＴＳＣ放送信号の輝度成分はより一層減衰される。従って、増幅されたＶＳＢデジタル放送信号のパイロットトーンは受信部ＶＳＢチップ（図示せず）においてより効率的な搬送波復旧が可能になり、インドア環境下でより効率的な受信が可能になる。減衰された上側及び下側ＮＴＳＣ放送信号は後端の弾性の表面波フィルタ（図示せず）により除去される。
【００２１】
非対称型ＢＰＦ４２から出力された図５の（ｃ）信号は第２ローカルミキサ４４に入力される。この時、第２局部発振部４３の第２発振信号もまた第２ローカルミキサ４４に入力される。第２ローカルミキサ４４は非対称型ＢＰＦ４２の出力信号と第２局部発振周波数とを混合して高周波の８ＶＳＢデジタル放送信号の周波数をダウンさせて中間周波数状態で出力する。
【００２２】
本発明は前述した実施例に限定されずに本発明の思想内で当業者による変形が可能であることはもちろんである。
【００２３】
【発明の効果】
前述したように本発明によれば、ＲＦスペクトルの伝送方式をノーマル方式からインバーティング方式に転換して隣接ＮＴＳＣ信号のＤＶＴ干渉を最小化できる効果がある。さらに、送信所にてＤＴＶ信号を隣接ＮＴＳＣ信号に備えた周波数シフトをする必要がないので、受信機ＡＦＴの遂行時間を短縮させることができる効果がある。さらに、受信機のチューナ部を低域強調した非対称型バンドパスフィルタより構成し、８ＶＳＢ信号のパイロットトーンを一層大きく増幅してインドア受信状況で発生しやすい難視聴問題を解決できるだけではなく、各種マルチパス及びノイズに一層よく耐えることができる受信機の設計が可能である効果がある。最後に、パイロットトーンの受信端チューナでの増幅はＶＳＢチップの搬送波復旧を早められ、チャンネルロッキングタイムを減らすことができる効果がある。
【図面の簡単な説明】
【図１】  図１は従来の放送信号受信機のＲＦスペクトル図である。
【図２】  従来の８ＶＳＢダブルコンバージョンチューナの構成を示すブロック図である。
【図３】  放送信号受信機のＲＦスペクトル図である。
【図４】  本発明による放送信号受信機のチューニングシステムの構成を示すブロック図である。
【図５】  本発明による放送信号受信機のチューニング方法を説明するための波形図である。
【符号の説明】
４０  第１局部発振部
４１  第１ローカルミキサ
４２  非対称型ＢＰＦ
４３  第２局部発振部
４４  第２ローカルミキサ
【図１】
0003652624.tif 000002
【図２】
0003652624.tif 000003
【図３】
0003652624.tif 000004
【図４】
0003652624.tif 000005
【図５】
0003652624.tif 000006